(57)【要約】【課題】  巻尺携帯用のベルトクリップをファッション性に優れたデザインとすることができるようデザインの自由度が高く、オフィスや服飾店等で用いられるファッション性に優れたデザインの巻尺を携帯する際にこの巻尺に充分似合い、かつ巻尺を安全に携帯できるファッション性に優れたデザインの巻尺用ベルトクリップを提供する。【解決手段】  前面にマグネット７を有する保持ベース６を設けたクリップ本体１と、このクリップ本体１の背面上部から後方に垂下し、クリップ本体１の背面との間に腰ベルト１１が入るベルト係着用空間５を形成した弾性復元力を有するクリップ片２とより構成し、マグネット７を有する保持ベース６を、クリップ本体1の背面からクリップ本体1に係合させ、保持ベース６のマグネット７をクリップ本体１のマグネット挿通孔４からクリップ本体１の前面に臨ませる構成とした。【選択図】  図１
2009055974.tif 000002
【特許請求の範囲】
【請求項１】
前面にマグネットを備える保持ベースを設けたクリップ本体と、このクリップ本体の背面上部から後方に垂下し、前記クリップ本体の背面との間にベルトを入れることのできる空間を形成するクリップ片とよりなり、これらクリップ本体とクリップ片のうち少なくともいずれか一方は弾性を有していて下部間が外力によって離間可能であり、かつ弾性復元力によって初期位置に復帰してベルトを挟持できるように構成してあり、また前記保持ベースは、クリップ本体に形成した開口または切り欠きを通してマグネットが前面側に臨むようクリップ本体の背面からクリップ本体に係合させ、巻尺に設けた磁気吸着可能な部材と前記マグネットを磁気吸着せしめて着脱可能に取り付けることができるように構成してなる巻尺用ベルトクリップ。
【請求項２】
前記保持ベースの下方部分がクリップ本体の下方遊端部よりも突出していて、この突出する部分に、保持ベース表裏に貫通する外部フック引っ掛け用の貫通孔を設けてなる請求項１に記載の巻尺用ベルトクリップ。
【請求項３】
前記クリップ本体と保持ベースは、クリップ本体に設けた通孔と、保持ベースに設けた凸部とがスナップ係合するように構成してなる請求項１に記載の巻尺用ベルトクリップ。
【請求項４】
前記クリップ本体を金属素材で形成するとともに、前記保持ベースを樹脂素材で形成してなる請求項１に記載の巻尺用ベルトクリップ。
【発明の詳細な説明】
【技術分野】
【０００１】
本発明は、作業者の腰ベルトに係着して、巻尺を携帯するために用いる巻尺用ベルトクリップに関し、より詳しくは、形状や色彩等を向上させたデザイン的に優れた巻尺を携帯する際もこの巻尺に似合うようにファッション性を向上させ得る巻尺用ベルトクリップに関する。
【背景技術】
【０００２】
従来、作業者の腰ベルトに装着して、巻尺に設けられた磁気吸着可能な部材と磁気吸着することによって巻尺を保持する巻尺用のベルトクリップには、例えば特許文献１に示されるようなものがある。
【０００３】
ベルトクリップは、建築現場や製造現場で作業をしている人達が自分の腰ベルトに装着して、長さ測定の際に用いた巻尺を、この巻尺に有する磁気吸着可能な部材をベルトクリップのマグネットに磁気吸着させることにより携帯している。
【０００４】
したがって、ベルトクリップは建築現場や製造現場で実用的な道具として用いられることが普通となっているので、巻尺を磁気吸着して保持する保持部はベルトクリップ本体と同じ素材を用い、かつこの保持部とベルトクリップ本体を一体成形して頑丈にしている。
【０００５】
しかしながら、巻尺は建築現場や製造現場等で実用的に使用される他にもオフィスや服飾店等の屋内でも用いられていて、このような屋内の場所では、巻尺も実用的なものよりもファッション性に優れるデザインのものを用いることが多いのであるが、巻尺の携帯に便利なベルトクリップにおいては、建築現場や製造現場等で使用されることを前提に企画された実用的デザインのファッション性に程遠い無骨なものしかなかった。
【０００６】
そして、最近では建築現場や製造現場等で実用的に使用される巻尺もファッション性に優れるデザインのものも出てきており、この巻尺を携帯する場合は、従来の無骨でデザインの自由度が低いベルトクリップでは似合わなくなってきている。
【０００７】
【特許文献１】特開２００６−９０７２９号公報（第１〜６頁、図１〜図５）
【発明の開示】
【発明が解決しようとする課題】
【０００８】
本発明は、巻尺の携帯に用いるベルトクリップを、デザインの自由度が高くてファッション性に優れたデザインにすることができ、オフィスや服飾店等で用いられるファッション性に優れたデザインの巻尺を携帯する際にこの巻尺に充分似合い、かつ巻尺を安全に携帯できるファッション性に優れたデザインとすることのできる巻尺用ベルトクリップを提供できるようにした。
【課題を解決するための手段】
【０００９】
上述した課題を解決するために、本発明に係る巻尺用ベルトクリップは、前面にマグネットを備える保持ベースを設けたクリップ本体と、このクリップ本体の背面上部から後方に垂下し、前記クリップ本体の背面との間にベルトを入れることのできる空間を形成するクリップ片とよりなり、これらクリップ本体とクリップ片のうち少なくともいずれか一方は弾性を有していて下部間が外力によって離間可能であり、かつ弾性復元力によって初期位置に復帰してベルトを挟持できるように構成してあり、また前記保持ベースは、クリップ本体に形成した開口または切り欠きを通してマグネットが前面側に臨むようクリップ本体の背面からクリップ本体に係合させ、巻尺に設けた磁気吸着可能な部材と前記マグネットを磁気吸着せしめて着脱可能に取り付けることができるように構成したものとしてある。
【００１０】
また前記保持ベースの下方部分がクリップ本体の下方遊端部よりも突出していて、この突出する部分に、保持ベース表裏に貫通する外部フック引っ掛け用の貫通孔を設けたものとしてある。
【００１１】
さらに前記クリップ本体と保持ベースを、クリップ本体に設けた通孔と、保持ベースに設けた凸部とがスナップ係合するように構成したものとしてある。
【００１２】
また前記クリップ本体を金属素材で形成するとともに、前記保持ベースを樹脂素材で形成したものとしてある。
【発明の効果】
【００１３】
本発明の巻尺用ベルトクリップによれば、金属素材で形成したクリップ本体に例えば樹脂素材で形成した保持ベースが取り付けられてベルトクリップを構成しているので、従来のように、全体を同じ素材で形成しているベルトクリップに比して、ベルトクリップの質感やデザイン性の格段の向上を図ることができる。
【００１４】
さらにクリップ本体を、ヘアライン加工を施した金属素材で形成するとともに、保持ベースを着色樹脂や、例えばカーボン等の素材が有する模様を配した樹脂素材で形成すれば、ベルトクリップの質感やデザイン性をよりいっそう向上させることもできて、オフィスでの使用は勿論のこと、高級品を取り扱う服飾店でも周囲の雰囲気に違和感を与えることなく用いることができる。
【００１５】
また、巻尺を使用している際に人の腰ベルト上に残っているベルトクリップに他人の目が止まっても、このベルトクリップが腰ベルトのアクセント小物としても機能する。
【００１６】
そして、本ベルトクリップにおいては、保持ベースのマグネットをクリップ本体に形成した開口もしくは切り欠きからクリップ本体の前面に臨ませているので、保持ベースのマグネットに磁気吸着している巻尺をこのマグネットから引き離すために引っ張っても、保持ベースがクリップ本体の背面から係合されているため保持ベースがクリップ本体から外れることがなく、巻尺の着脱を安全に行うことができる。
【００１７】
また、クリップ本体の下方遊端部より突出する保持ベースの下方部分に設けた保持ベース表裏に貫通する貫通孔に、巻尺側に一端を接続したワイヤの他端を接続することにより、誤って巻尺を落としてしまった場合でも、巻尺とベルトクリップにおける保持ベースの間に架設したワイヤによって巻尺の落下が阻止されるので、高所作業も安全に行うことができる。
【発明を実施するための最良の形態】
【００１８】
以下、本発明の巻尺用ベルトクリップを添付図面に基づいて説明する。
ベルトクリップは、図１に示すように、クリップ本体１の前面に巻尺本体１２に設けている鋼製等の磁気吸着部材１３と磁気吸着してこの巻尺本体１２を保持する（図５参照）保持部材となるマグネット７を備え、またクリップ本体１の背面に、作業者が身に付ける腰ベルト１１に係着するためのクリップ片２を備えている。
【００１９】
このクリップ片２は、上方部分がクリップ本体１の背面側すなわち保持ベース６に設けられたマグネット７が臨む前面側と反対側の上端部に接続され、またクリップ本体１とクリップ片２のうち少なくともいずれか一方は弾性を有していて、クリップ本体１とクリップ片２の下部間が外力によって離間可能であり、かつ弾性復元力によって初期位置に復帰できるようにしてある。
【００２０】
そして、本発明の巻尺用ベルトクリップは図２、図３に示すように、作業者が身に付ける腰ベルト１１に係着するクリップ片２を設けたステンレス等の金属で形成しているクリップ本体１（図２参照）と、マグネット７を備え、例えば適宜の色で彩色した樹脂素材よりなる保持ベース６（図３参照）をそれぞれ別体で用意して、前記保持ベース６をクリップ本体１に固定するように構成している。
【００２１】
上述のように、ベルトクリップをステンレス等の金属で形成したクリップ本体１と、適宜の色に着色した樹脂素材で形成した保持ベース６とを係合させて構成しているので、ベルトクリップの質感やデザイン性が格段に向上し、そしてクリップ本体１をヘアライン加工を施した金属素材で形成するとともに、保持ベース６をヘアライン加工を施したクリップ本体１に合わせた色彩の着色樹脂で形成すれば、ベルトクリップの質感やデザイン性はよりいっそう向上し、ベルトクリップの高級イメージ化が行えて、商品価値の高いベルトクリップとすることができる。
【００２２】
また、保持ベース６は着色樹脂だけではなく、木目や素材独自の模様（例えばカーボン等）を配した樹脂素材、そしてアルミやカーボン等の素材を用いて保持ベース６を形成する場合もある。
【００２３】
これらクリップ本体１と保持ベース６の固定は、保持ベース６を、クリップ本体１のクリップ片２との間に有するベルト係着用空間５から保持ベース６のマグネット７およびマグネット７の固定部材８をクリップ本体１に形成した開口たるマグネット挿通孔４に挿通させ（図４参照）、かつ保持ベース６に設けた凸部たる係合突起９をクリップ本体１に設けた通孔たる係合孔３にスナップ係合によってクリップ本体１と保持ベース６を固定し、クリップ本体１の前面に保持ベース６のマグネット７を臨ませるようにしている。
【００２４】
また、クリップ本体１におけるマグネット挿通孔４の下方をクリップ本体１の遊端部方向に延設してマグネット挿通孔４を開口形状ではなく切り欠き形状にして、クリップ本体１と保持ベース６を係合させた時のデザイン的変化を与えるようにする場合もある。
【００２５】
さらに、前述した保持ベース６に設けた凸部たる係合突起９とクリップ本体１に設けた通孔たる係合孔３とをスナップ係合してクリップ本体１と保持ベース６との固定は、通常状態においてクリップ本体１と保持ベース６が取り外せないように係合するのが普通であるが、必要に応じてクリップ本体１と保持ベース６との係合を解除できるように係合させる場合もある。
【００２６】
そして、クリップ本体１の下方遊端部よりも突出する保持ベース２に、この保持ベース２表裏に貫通する貫通孔たるフック係着孔１０を設けていて、このフック係着孔１０に、巻尺本体１２に一方を接続したワイヤ１５の他方に設けられたフック１４を引っ掛けることにより（図５参照）、巻尺本体１２を落とした場合でも、巻尺本体１２とベルトクリップにおける保持ベース２の間に架設したワイヤ１５によって巻尺本体１２の落下が阻止されるので、高所作業も安全に行うことができる。
【００２７】
なお、図５中の符号１６は、測定用テープを引き出した位置に固定するためのブレーキレバー、また符合１７は、測定用テープ先端に設けている先端フックである。
【００２８】
上述した実施例では、保持ベース６に設けられるマグネット７の外面が平面視で円形であるが、平面視で多角形等の他の形状にする場合や、複数のマグネットを組み合わせて用いる場合もあり、この場合、クリップ本体１のマグネット挿通孔４の形状も、保持ベース６のマグネット７の形状に対応するように適宜変更される。
【図面の簡単な説明】
【００２９】
【図１】本発明に係る巻尺用ベルトクリップを示す斜視図。
【図２】クリップ片を配したクリップ本体を示す斜視図。
【図３】保持ベースを示す斜視図。
【図４】図１中の矢印Ａ方向から見たベルトクリップの側面図。
【図５】本ベルトクリップによる巻尺の保持状態を示す図。
【符号の説明】
【００３０】
１  クリップ本体
２  クリップ片
３  係合孔
４  マグネット挿入孔
５  ベルト係着用空間
６  保持ベース
７  マグネット
８  固定部材
９  係合突起
１０  フック係着孔
１１  腰ベルト
１２  巻尺本体
１３  磁気吸着部材
１４  フック
１５  ワイヤ
１６  ブレーキレバー
１７  先端フック
【図１】
2009055974.tif 000003
【図２】
2009055974.tif 000004
【図３】
2009055974.tif 000005
【図４】
2009055974.tif 000006
【図５】
2009055974.tif 000007